(57)【要約】【課題】  後処理装置のウォームアップ完了前に、画像形成装置により画像形成されたシート束を、後処理装置に載置しておき、後処理装置のウォームアップが完了次第、直ちに製本動作を開始できるようにして、１番目の製本を早期に終了させること。【解決手段】  画像形成装置は、後処理装置のウォームアップ完了情報を待つことなく、第１番目の製本に供する全シートへの画像形成を施し、前記後処理装置の整合手段にシート束を完成させて、後処理装置のウォームアップが完了していた場合には、第１番目の製本を開始させると共に、第２番目の製本に供するシートへの画像形成動作を許可し、ウォームアップが完了していなかった場合には、ウォームアップが完了するまで、第１番目の製本動作を待たせると共に、第２番目の製本に供するシートへの画像形成動作を禁止するように制御する制御手段を有することを特徴とする画像形成システム。【選択図】        図１
2005338999.tif 000002
【特許請求の範囲】
【請求項１】
ウォームアップを必要とする後処理装置と、画像形成装置とが接続された画像形成システムであって、
前記後処理装置は、
前記画像形成装置が画像形成を行い排出したシートを順次積載して、製本に供するためのシート束を作る整合手段と、
前記シート束を端部で綴じて製本する綴じ手段と、
前記綴じ手段のウォームアップ完了情報を画像形成装置に送る第１制御手段とを有し、
前記画像形成装置は、
前記後処理装置の整合手段に１番目の製本に供されるシート束が完成した時に、
前記綴じ手段のウォームアップ完了情報を前記第１制御手段から取得して、
ウォームアップが完了していた場合には、
第１番目の製本動作を開始させる指示情報を前記第１制御手段に送ると共に、第２番目の製本に供するシートへの画像形成動作を許可し、
ウォームアップが完了していなかった場合には、
ウォームアップが完了するまで、第１番目の製本動作を待たせる指示情報を前記第１制御手段に送ると共に、第２番目の製本に供するシートへの画像形成動作を禁止するように
制御する第２制御手段を
有することを特徴とする画像形成システム。
【請求項２】
前記後処理装置が、
熱により溶融する接着剤を塗布した製本材と、
前記製本材の接着剤を溶融する加熱手段とを有する綴じ手段と、
前記加熱手段の温度を検知する温度検知手段とを
備えた製本装置であって、
前記綴じ手段のウォームアップ完了情報とは、前記加熱手段が前記製本材の接着剤を溶融できる温度に到達したことを、前記温度検知手段が検知した情報であることを特徴とする請求項１に記載の画像形成システム。
【請求項３】
前記画像形成装置に、ユーザと前記第２制御手段とのインターフェイスである操作表示手段を設け、
前記第２制御手段は、
前記綴じ手段のウォームアップが未了で、
前記第１番目の製本動作と、
前記第２番目の製本に供されるシートへの画像形成動作とが、
待機状態にある時に、
前記操作表示手段に、少なくとも、ウォームアップ完了までの予測時間を表示することを特徴とする請求項１、もしくは２に記載の画像形成システム。
【請求項４】
前記第２制御手段は、
前記画像形成装置が画像形成動作を停止している時、
もしくは、前記操作表示手段により前記後処理装置を使用する動作モードが選択されていない時には、
前記加熱手段への通電をオフにする指示情報を前記第１制御手段に送ることを特徴とする請求項１〜３のいずれか１項に記載の画像形成システム。
【請求項５】
ウォームアップを必要とする後処理装置と、画像形成装置とが接続された画像形成システムの制御方法であって、
前記後処理装置は、
製本に供するためのシート束を作る整合手段に、前記画像形成装置が画像形成を行い排出したシートを順次積載して、
前記シート束を端部で綴じて製本する綴じ手段のウォームアップ完了情報を第１制御手段により画像形成装置に送り、
前記画像形成装置は、
前記後処理装置の整合手段に１番目の製本に供されるシート束が完成した時に、
前記綴じ手段のウォームアップ完了情報を前記第１制御手段から取得して、
ウォームアップが完了していた場合には、
第１番目の製本動作を開始させる指示情報を前記第１制御手段に送ると共に、第２番目の製本に供するシートへの画像形成動作を許可し、
ウォームアップが完了していなかった場合には、
ウォームアップが完了するまで、第１番目の製本動作を待たせる指示情報を前記第１制御手段に送ると共に、第２番目の製本に供するシートへの画像形成動作を禁止するように
第２制御手段により制御することを特徴とする画像形成システムの制御方法。
【発明の詳細な説明】
【技術分野】
【０００１】
本発明は、ウォームアップを必要とする後処理装置が接続された画像形成システムと、その制御方法とに関わる。
【背景技術】
【０００２】
画像形成装置と製本機能を有する後処理装置とを連結し、画像形成装置により画像形成された複数枚のシートを後処理装置のシート積載手段に積載してシート束を作り、これを整えて綴じることにより本を作成する製本システムは、市場で広く使用されているシステムである。
【０００３】
前記シート積載手段に積載されたシートの端部を整える手段（整合手段と称す）は、シートの側面をシート搬送中にガイド部材で導くことにより側面位置を整え、先端部を突き当て部材に突き当てて先端位置を整えるようにしたものが一般的である。
【０００４】
積載され整合されたシート束は、シートが容易にずれないように、その先端部が保持され、綴じ手段により綴じられ、製本される。
【０００５】
綴じ手段としては、シート束の端部をステイプラで綴じるものや、溶融したホットメルト接着剤をシート束の先端面に塗布することにより綴じるものが多い。その他、画像形成装置から排出されたシートの端部に糊を塗布して、このシートを整合しながら積載して、最後に糊が塗布されシートの端部を押圧して綴じる手段も提案されている（例えば、特許文献１参照。）。上述した、各綴じ手段は、それぞれ特徴があり、製本の目的により適宜な手段が選択される。
【０００６】
頁数の多い本を製本する場合には、ステイプラによる手段は綴じ針の長さの制限と、頁の見開きの容易性という点から不適であり、また、糊を塗布する手段も、強度の確保と、頁の見開きの容易性という点で難がある。従って、このような問題がないホットメルト接着剤によりシートを綴じる手段が製本装置に多く採用されるようになってきた。
【０００７】
ホットメルト接着剤により、シート束を綴じる手順は、先ず、整合済みのシートの端部に、製本材である接着剤が塗布されている綴じテープを所定の位置に押し当て、次に、綴じテープの背面から所定の温度に加熱した部材を押し当てて、接着剤を溶融してシートの端部に接着剤を移行させるというものである。接着剤が塗布されたシート束は、接着剤が固化した後、製本装置の積載トレイに排出される。
【０００８】
加熱した部材を押し当てることにより綴じテープの接着剤を溶融する加熱手段は、綴じテープを短時間で均一に加熱する必要があることから、部材としては、熱伝導性の良いアルミニウムや、蓄熱性の良好なステンレス等を使用している。この部材と綴じテープが接触する面と反対側の面にはヒータが設けられ、部材が加熱される。
【０００９】
前記部材は、押圧に対応するための強度と、均一な温度分布を要求されることから、熱容量が大きくなる。その結果、ヒータへの通電開始から、前記部材が製本に対応できる所定の温度に到達する間での時間、いわゆるウォームアップ時間が長くなり、画像形成装置の準備が整っても画像形成動作を開始するまでの待ち時間が長くなることもある。
【００１０】
この様な不都合を解消するために、ヒータの容量を上げ、大きな電力を供給することによりウォームアップ時間を短縮するということが考えられるが、通常、装置が接続されている配電盤やコンセントには、供給電力の制限があり、自ずから供給できる電力の限度がある。特に、熱ローラによる定着手段を有する画像形成装置に製本装置が接続された場合、複数のヒータにウォームアップのための電力を同時に供給する必要があることから、各々のヒータに供給される電力が限られ、ウォームアップ時間が一層長くなるという問題がある。
【００１１】
製本装置のウォームアップ時間を限られた条件下で少しでも短くするための策として、製本装置の加熱部材に複数のヒータを設け、これらのヒータへの電力配分を制御することにより加熱部材全体を均一に温度上昇させるという提案（例えば、特許文献２参照。）もあるが、問題を解消するには至っていない。
【００１２】
製本装置のウォームアップ時間が長くなる結果、画像形成装置の画像形成動作の開始が遅れることになる。このことは、特に頁数の多い製本を行う場合には、製本装置がウォーミングアップを完了し、製本動作を開始できる状態になっても、画像形成装置による全頁の画像形成処理が終了するまでの長い時間、製本動作を開始することができないという状況を生み出す。
【特許文献１】特開２００３−２９１５５８号公報（第１−２頁）
【特許文献２】特開平９−３２３４８８号公報（第１頁）
【発明の開示】
【発明が解決しようとする課題】
【００１３】
本発明は、上述した様な状況に鑑みてなされたもので、その目的は、製本装置である後処理装置のウォームアップ完了前に、画像形成装置により画像形成された複数のシートから成る１番目の製本に供されるシート束を、後処理装置の整合手段に載置しておき、後処理装置のウォームアップが完了次第、直ちに製本動作を開始できるようにして、１番目の製本を早期に終了させることにある。
【課題を解決するための手段】
【００１４】
上記課題は、以下の項目を達成することにより、解決される。
【００１５】
（１）ウォームアップを必要とする後処理装置と、画像形成装置とが接続された画像形成システムであって、
前記後処理装置は、
前記画像形成装置が画像形成を行い排出したシートを順次積載して、製本に供するためのシート束を作る整合手段と、
前記シート束を端部で綴じて製本する綴じ手段と、
前記綴じ手段のウォームアップ完了情報を画像形成装置に送る第１制御手段とを有し、
前記画像形成装置は、
前記後処理装置の整合手段に１番目の製本に供されるシート束が完成した時に、
前記綴じ手段のウォームアップ完了情報を前記第１制御手段から取得して、
ウォームアップが完了していた場合には、
第１番目の製本動作を開始させる指示情報を前記第１制御手段に送ると共に、第２番目の製本に供するシートへの画像形成動作を許可し、
ウォームアップが完了していなかった場合には、
ウォームアップが完了するまで、第１番目の製本動作を待たせる指示情報を前記第１制御手段に送ると共に、第２番目の製本に供するシートへの画像形成動作を禁止するように
制御する第２制御手段を
有することを特徴とする画像形成システム。
【００１６】
（２）前記後処理装置が、
熱により溶融する接着剤を塗布した製本材と、
前記製本材の接着剤を溶融する加熱手段とを有する綴じ手段と、
前記加熱手段の温度を検知する温度検知手段とを
備えた製本装置であって、
前記綴じ手段のウォームアップ完了情報とは、前記加熱手段が前記製本材の接着剤を溶融できる温度に到達したことを、前記温度検知手段が検知した情報であることを特徴とする第（１）項に記載の画像形成システム。
【００１７】
（３）前記画像形成装置に、ユーザと前記第２制御手段とのインターフェイスである操作表示手段を設け、
前記第２制御手段は、
前記綴じ手段のウォームアップが未了で、
前記第１番目の製本動作と、
前記第２番目の製本に供されるシートへの画像形成動作とが、
待機状態にある時に、
前記操作表示手段に、少なくとも、ウォームアップ完了までの予測時間を表示することを特徴とする第（１）項、もしくは第（２）項に記載の画像形成システム。
【００１８】
（４）前記第２制御手段は、
前記画像形成装置が画像形成動作を停止している時、
もしくは、前記操作表示手段により前記後処理装置を使用する動作モードが選択されていない時には、
前記加熱手段への通電をオフにする指示情報を前記第１制御手段に送ることを特徴とする第（１）〜（３）項のいずれか１項に記載の画像形成システム。
【００１９】
（５）ウォームアップを必要とする後処理装置と、画像形成装置とが接続された画像形成システムの制御方法であって、
前記後処理装置は、
製本に供するためのシート束を作る整合手段に、前記画像形成装置が画像形成を行い排出したシートを順次積載して、
前記シート束を端部で綴じて製本する綴じ手段のウォームアップ完了情報を第１制御手段により画像形成装置に送り、
前記画像形成装置は、
前記後処理装置の整合手段に１番目の製本に供されるシート束が完成した時に、
前記綴じ手段のウォームアップ完了情報を前記第１制御手段から取得して、
ウォームアップが完了していた場合には、
第１番目の製本動作を開始させる指示情報を前記第１制御手段に送ると共に、第２番目の製本に供するシートへの画像形成動作を許可し、
ウォームアップが完了していなかった場合には、
ウォームアップが完了するまで、第１番目の製本動作を待たせる指示情報を前記第１制御手段に送ると共に、第２番目の製本に供するシートへの画像形成動作を禁止するように
第２制御手段により制御することを特徴とする画像形成システムの制御方法。
【発明の効果】
【００２０】
請求項１に記載の発明によれば、後処理装置のウォームアップと、画像処理装置による１番目の製本に供する全シートへの画像形成処理とが並行して行われるので、後処理装置のウォームアップ完了後に、画像形成処理を開始する場合に比較して、後処理装置による１番目の製本作業の開始を早めた画像形成システムが実現される。
【００２１】
請求項２に記載の発明によれば、加熱により溶融する接着剤により綴じ処理を行う後処理装置の１番目の製本開始が早めた画像形成システムが実現される。
【００２２】
請求項３に記載の発明によれば、画像形成装置が１番目の製本に供する全シートの画像形成処理を終え、後処理装置による製本動作が開始されない場合、ユーザは、その原因と製本動作が開始されるまでの待ち時間とを知ることができる。
【００２３】
請求項４に記載の発明によれば、使用しない装置への電力供給がカットされ、省エネルギー化が実現される。
【００２４】
請求項５に記載の発明によれば、後処理装置のウォームアップと、画像処理装置による１番目の製本に供する全シートへの画像形成処理とが並行して行われるので、後処理装置のウォームアップ完了後に、画像形成処理を開始する場合に比較して、後処理装置による１番目の製本作業の開始を早める画像形成システムの制御方法が提供される。
【発明を実施するための最良の形態】
【００２５】
以下、図面に基づき本発明の実施の形態を説明する。
【００２６】
図１は、製本装置である後処理装置と画像形成装置が接続された画像形成システムを示す概念図である。
【００２７】
画像形成装置Ａは、公知の電子写真技術により画像形成をするデジタル式の複写機である。画像形成装置Ａには、上部に自動原稿送り装置１が設けられており、また、製本装置Ｂが接続されている。
【００２８】
画像形成装置Ａは、自動原稿送り装置１、読み取り手段２、書き込み手段３、画像形成手段４、定着手段５、反転排紙手段６、再給紙手段７、シート搬送手段８、給紙手段９、制御手段Ｃ１、操作表示手段Ｅ等から構成されている。
【００２９】
自動原稿送り装置１は、原稿載置台１０の上に載置された原稿Ｄを１枚ずつ原稿搬送路１１に送り出し、原稿排紙台１２に排紙する。搬送中の原稿Ｄの画像面は、原稿読み取り位置１３にて読み取り手段２にて読み取りがなされる。原稿Ｄの両面の画像を読み取る場合には、第１面の読み取りがなされた原稿Ｄを反転手段１４により反転して、再度、原稿搬送路１１に送り出し、第２面の読み取りを行い、原稿排紙台１２に排紙する。
【００３０】
読み取り手段２は、光源２１、第１ミラーユニット２２、第２ミラーユニット２３、結像レンズ２４、ＣＣＤ２５等からなり、画像読み取り位置１３を走行する原稿Ｄの画像を走査して、その画像をＣＣＤ２５に結像させて、光学的情報である原稿画像情報を電気的情報に変換する。変換された原稿画像情報は、Ａ／Ｄ変換、シェーディング補正、圧縮等の処理が施され、制御手段Ｃ１のメモリＭ１に保存される。
【００３１】
書き込み手段３は、レーザ光源、シリンドリカルレンズ、Ｆθレンズ、ミラー、ポリゴン等で構成される走査光学系で、前記メモリＭから読み出された画像情報に対応して変化するレーザビームにて、画像形成手段４の感光体４１の表面を走査して、前記感光体４１の表面に潜像を形成する。
【００３２】
画像形成手段４は、感光体４１の表面に形成された潜像を、現像手段４２にて現像処理を行いトナー画像として顕像化するものである。前記トナー画像は、転写手段４３によりレジストローラ８１により送り出されたシートＰに転写される。トナー画像の転写を終えた感光体表面は、クリーニング手段４４により、残留トナーが除去されて、帯電手段４５により電荷が付与されて、次の潜像形成に供される。
【００３３】
定着手段５は、対向して配置された、熱ローラ５１と、加圧ローラ５２とによりトナー画像を担持したシートＰを加熱加圧することにより、トナー画像をシートＰに定着する。
【００３４】
画像定着を終えたシートＰは、排紙ローラ５５により、製本装置Ｂに送られる。
【００３５】
シートＰを反転させて排紙する場合には、排紙ガイド５７によりシートＰを下方に導き、反転手段の反転ローラ６１に前記シートＰの後端を挟持させ、反転して排紙ローラ５５に送り出す。
【００３６】
シートＰの両面に画像形成を行う場合には、排紙ガイド５７と複数のローラによりシートＰを再給紙手段７に送り、再給紙手段７の反転ローラ７１によりシートＰを反転して、再度、シート搬送手段８に送り出す。
【００３７】
シート搬送手段８は、複数のローラと、ガイド部材とからなるシートの搬送路で、給紙手段９から送り出されたシートＰを搬送して、シートＰの先端をレジストローラ８１に突き当てた後、トナー画像を受容するために感光体４１に向けて送り出す。
【００３８】
給紙手段９は、小容量のトレイを有する第１給紙手段９１、大容量のトレイを有する第２給紙手段９２、第３給紙手段９３から構成される。前記各給紙手段は、各々のトレイに載置されたシートＰを１枚ずつシート搬送手段８に送り出す送り出しローラ９１６、９２６、９３６を有している。また、第２給紙手段９２、及び第３給紙手段９３には、積載されたシートの上面位置を検知する上面検知手段が設けられ、前記検知手段からの上面検知信号を基に、制御手段Ｃ１はシートＰを積載しているトレイの底面を上下させている。
【００３９】
操作表示手段Ｅは、画像形成装置Ａの本体上面に設けられたタッチパネルで、表示と入力の両方の機能を有し、コピー枚数の設定をはじめ製本作業をするか否かの設定等の制御手段Ｃ１への指示操作を行うために用いられる。
【００４０】
画像形成装置Ａにより画像形成がなされ製本装置に送り出されたシートＰは、操作表示手段Ｅにより製本作業を施さないモードが選択されていた場合には、振り分けガイド１０１により上方に進むように導かれ排紙台１０２に排紙される。
【００４１】
製本作業を施すモードが選択されていた場合には、シート整合手段２００に順次送られ、１部の本を構成する頁数のシートＰが積載される。また、シート載置手段９１０、９２０に表紙、あるいは頁間に挿入するためのシートを載置して、載置したシートが所定の頁位置に入るように搬送手段１００によりシート整合手段２００に送り出すこともできる。
【００４２】
シート整合手段２００は、シート載置台２０１、先端規制板２０２、シート圧着部材２０３、２０４、ローラ２０５、シート幅規制板（不図示）等から構成されている。シート載置台２０１に積載されたシートＰは先端部が先端規制板２０２により、両側がシート幅規制板により規制され、整合されたシート束となる。このシート束に、後述の綴じ手段３００による綴じ処理が施されて１部の本が完成する。
【００４３】
最終頁の載置が終了すると、圧着部材２０３、２０４が積載されたシートＰであるシート束の先端部を上面と下面とから押圧して、積載されたシートの整合が崩れないように挟持する。圧着部材２０３、２０４による挟持が完了すると、先端規制板２０２が矢印ｂの方向に移動して、シート束の先端面が、綴じテープＴＴを挟んで綴じ手段３００に直面する。
【００４４】
図２は、綴じ手段３００の近傍を模式的に示す図である。
【００４５】
綴じ手段３００は、ホットメルトタイプの接着剤が塗布された綴じテープＴＴと、前記綴じテープＴＴを所定の長さにカットして、テープ元巻き部（不図示）から主加熱手段３１０に送り出す綴じテープ送り手段（図２には不図示、図３に図示）、綴じテープＴＴを背面から整合されたシート束の先端面に加熱しながら押圧する主加熱手段３１０、前記綴じテープＴＴの両側面をシート束の最上面と最下面とに加熱しながら押圧する側面加熱手段３２０、３３０等から構成される。
【００４６】
主加熱手段３１０は、加熱部材３１１とヒータ３１２、温度検知手段ＴＳ１（図２には不図示、図３に図示）等から構成されており、加熱部材３１１は温度検知手段ＴＳ１と制御手段Ｃ２とにより所定の温度を維持するように制御されている。なお、側面加熱手段３２０、３３０も主加熱手段３１０とは形状は異なっているが、同様の加熱部材、ヒータ、温度検知手段とから構成されている。
【００４７】
綴じ手段３００の主加熱手段３１０は、加熱手段移動手段（不図示）により矢印ａの方向に移動して、綴じテープＴＴを前記シート束の先端面に押しつける。この動作により、綴じテープＴＴの接着剤は溶融して、シート束の先端面に移行する。
【００４８】
次に、綴じテープ側面ガイド３２１、３３２が矢印ｄ１、ｄ２のように移動して、綴じテープＴＴの側面をシート束の最上面と、最下面に向けて折り曲げる。綴じテープ側面ガイド３２１、３３１の移動が終了すると、側面加熱手段３２０、３３０が矢印ｆ１、ｆ２の方向に移動して、折り曲げられた綴じテープＴＴの量側面を、シート束の最上面と最下面に加熱しながら押圧する。
【００４９】
予め設定された押圧時間が経過すると、主加熱手段３１０、側面加熱手段３２０、３３０は元の位置に復帰して、シート束から離れる。これにより、綴じテープＴＴの溶融した接着剤は温度が急激に降下することにより硬化して、シート束は先端面にて硬化した接着剤にて綴じられる。
【００５０】
シート整合手段２００は、綴じられたシート束の先端部を圧着部材２０３、２０４で保持したままの状態で図１の点線位置に移動する。その後、圧着部材２０３、２０４の圧着を解除して、載置台２０１に設けられたローラ２０５を載置面上にせり上げて、回転させることにより、シート束載置台４００に送り出す。
【００５１】
図３は、本実施の形態における画像形成装置Ａと製本装置Ｂから成る画像形成システムの制御関係を示すブロック図である。
【００５２】
画像形成装置の制御手段Ｃ１は、ＣＰＵ、演算ユニット、メモリＭ１、入出力Ｉ／Ｆ、通信手段、駆動回路等から構成されるコンピュータシステムである。各手段の制御は、予めメモリＭ１に記憶させてあるプログラムを実行させることによりなされる。なお、製本装置の制御手段Ｃ２も制御手段Ｃ１に比較して規模は小さいが同様の構成である。なお、本図では、本実施の形態にの説明に不要なブロックの記載は省略されている。
【００５３】
図４は、製本装置のウォームアップ状態の検知と、検知結果を基にした画像形成システムの制御の流れを示すフローチャートである。
【００５４】
先ず、画像形成装置Ａの操作表示手段Ｅから画像形成作業の指示が入力されると（ステップＳ１）、製本モードが操作表示手段Ｅに設定されているか否かが制御手段Ｃ１により検知される（ステップＳ２）。
【００５５】
製本モードが選択されていない場合には（ステップＳ２：Ｎ）、制御手段Ｃ１は、制御手段Ｃ２に製本装置をオフにする非選択情報を送る。非選択情報を受けた制御手段Ｃ２は、画像形成されたシートを製本装置Ｂの排紙台１０２に排紙するように振り分けガイド１０１を所定位置に移動させると共に、綴じ手段３００の主加熱手段３１０、側面加熱手段３２０、３３０のヒータをオフ状態とする（ステップＳ３）。画像形成装置Ａは、操作表示手段Ｅにて設定された枚数のシートに画像形成を行い、製本装置Ｂの排紙台１０１に排紙する（ステップＳ４）。
【００５６】
製本モードが選択されていた場合には（ステップＳ２：Ｙ）、制御手段Ｃ１は制御手段Ｃ２に、製本装置Ｂが選択されたとの情報を送り、前記情報を受けた制御手段Ｃ２は綴じ手段３００の加熱手段に設けられたヒータをオンにする（ステップＳ５）。
【００５７】
制御手段Ｃ１は製本される第１部目の最終頁となるシートＰを画像形成のために給紙して、次の第２部目の先頭頁となるシートＰを給紙待機の状態で保持されるように制御する。シート整合手段２００に最終頁となるシートＰ載置されると（ステップＳ６：Ｙ）、綴じ手段３００のウォームアップ状況が、制御手段Ｃ２により判断され（ステップＳ９）、もし、ウォームアップが完了していない場合には（ステップＳ９：Ｎ）、操作表示手段Ｅにウォームアップが完了するまでの待ち時間を表示して（ステップＳ１０）、ウォームアップの完了を待つ（ステップＳ９）。完了していた場合には（ステップＳ９：Ｙ）、綴じ手段３００による製本処理が開始される（ステップＳ１１）。
【００５８】
製本処理が完了すると（ステップＳ１２：Ｙ）、設定部数の製本を完了したか否かを確認して（ステップＳ１３）、もし、完了していたならば（ステップＳ１３：Ｙ）製本装置Ｂの綴じ手段３００の全ヒータをオフにして（ステップＳ１４）、このルーチンから出る。もし、完了していない場合には（ステップＳ１３：Ｎ）、次に続く部の先頭頁の画像形成を行うための給紙を行う（ステップＳ１５）。次の部の最終頁となるシートが給紙されると（ステップＳ１６：Ｙ）、この部に続く部の先頭頁となるシートを待機状態にして（ステップＳ１７）、次の部の最終頁が整合手段２００に載置されると、第１部目と同様な製本処理が施される（ステップＳ１１、１２）。製本処理が終了する（ステップＳ１２：Ｙ）と設定部数の製本が完了したか否かが判定され（ステップＳ１３）、既に説明した、ステップＳ１４か、ステップＳ１３、１５、１６、１７、１８、１１のいずれかの流れに進む。
【００５９】
上述した様な画像形成システムの制御を行うことにより、第１番目の製本作業開始を早めることができる。
【図面の簡単な説明】
【００６０】
【図１】画像形成システムを示す概念図である。
【図２】綴じ手段の近傍を示す模式図である。
【図３】画像形成システムの制御関係を示すブロック図である。
【図４】画像形成システムの制御の流れを示すフローチャートである。
【符号の説明】
【００６１】
１  自動原稿送り装置
２  読み取り手段
３  書き込み手段
４  画像形成手段
５  定着手段
１００  搬送手段
２００  シート整合手段
２０３、２０４  圧着部材
３００  綴じ手段
３１０  主加熱手段
３２０、３３０  側面加熱手段
３１１  加熱部材
３２２  ヒータ
Ｃ１  制御手段（画像形成装置）
Ｃ２  制御手段（製本装置）
Ｅ  操作表示手段
ＴＳ１  温度検知手段
ＴＴ  綴じテープ
【図１】
2005338999.tif 000003
【図２】
2005338999.tif 000004
【図３】
2005338999.tif 000005
【図４】
2005338999.tif 000006